(57)【特許請求の範囲】
【請求項１】
液体流入管と、液体流出管と、第一ポンプと、第二ポンプと、第一容器と、第二容器と、を含み、
第一容器は液体流入管および第一ポンプを通じて血腫除去器の粉砕吸引器の高圧室に連結し、粉砕吸引器の低圧室は液体流出管および第二ポンプを通じて第二容器に連結し、
第一ポンプと粉砕吸引器の高圧室との間の液体流入管に第一ポンプにより発生する圧力波動を緩和する第一弾性管部分を設け、粉砕吸引器の低圧室と第二ポンプとの間の液体流出管に第二ポンプにより発生する圧力波動を緩和する第二弾性管部分を設け、
前記第一弾性管部分にバランス洗浄装置の動作異常時に液体流入管を即閉鎖できる第一ピンチバルブを設け、前記第二弾性管部分にバランス洗浄装置の動作異常時に液体流出管を即閉鎖できる第二ピンチバルブを設けることを特徴とする、血腫除去器のデュアル容器式バランス洗浄装置。
【請求項２】
前記第一ポンプと粉砕吸引器の高圧室との間の液体流入管に一端が液体流入管に連結し他端が圧力センサーに連結する第一サブ管を設け、粉砕吸引器の低圧室と第二ポンプとの間の液体流出管に一端が液体流出管に連結し他端が圧力センサーに連結する第二サブ管を設けることを特徴とする、請求項１に記載の血腫除去器のデュアル容器式バランス洗浄装置。
【請求項３】
前記第一、第二サブ管は、いずれもパイプラインコネクタを通じて圧力センサーと連結していることを特徴とする、請求項２に記載の血腫除去器のデュアル容器式バランス洗浄装置。
【請求項４】
前記液体流入管と第一容器との間にパイプラインコネクタを設け、前記液体流出管と第二容器との間にもパイプラインコネクタを設けることを特徴とする、請求項１に記載の血腫除去器のデュアル容器式バランス洗浄装置。
【請求項５】
前記第一ポンプおよび第二ポンプは蠕動型ポンプステーションであり、
前記液体流入管に第一ポンプと適合する第三弾性管部分を設け、前記液体流出管に第二ポンプと適合する第四弾性管部分を設けることを特徴とする、請求項１に記載の血腫除去器のデュアル容器式バランス洗浄装置。
【請求項６】
粉砕吸引器に近い前記液体流入管の一部分と前記液体流出管の一部分とが並列に寄り添っていることを特徴とする、請求項１に記載の血腫除去器のデュアル容器式バランス洗浄装置。
【請求項７】
前記粉砕吸引器のモーターの電源配線は束ねられて、前記液体流入管または液体流出管の一部分と寄り添っているチューブの中から引き出されていることを特徴とする、請求項６に記載の血腫除去器のデュアル容器式バランス洗浄装置。
【発明の詳細な説明】
【技術分野】
【０００１】
本発明は、医療機器である血腫除去器に関し、特に血腫除去器のバランス洗浄装置に関する。
【背景技術】
【０００２】
脳出血の治療において、臨床では血腫除去器を使用することが多い。この血腫除去器は、粉砕吸引器と、粉砕吸引器に連結するバランス洗浄装置とを有する。また、このバランス洗浄装置は、高圧管と、低圧管と、循環ポンプと、濾過器と、ガス排出装置とを含む。循環ポンプは、高圧管を通じて粉砕吸引器の高圧室に連結し、ガス排出装置は高圧管に連結する。粉砕吸引器の低圧室は低圧管を通じて循環ポンプに連結し、濾過器は低圧管に連結する。しかしながら、このバランス洗浄装置には、（１）循環ポンプの動作時に発生する圧力波動を有効に緩和できない；（２）バランス洗浄装置の動作異常時に高圧管を即閉鎖できない；（３）血腫除去の効果を直接に観察できない、というような問題が存在する。
【０００３】
このように、上記バランス洗浄装置をさらに改良する必要がある。
【発明の概要】
【０００４】
本発明は、上記既存の血腫除去器のバランス洗浄装置に存在する技術的問題を解決するためになされたものであり、血腫除去器のデュアル容器式バランス洗浄装置を提供することを目的とする。
【０００５】
本発明に係る血腫除去器のデュアル容器式バランス洗浄装置は、液体流入管と、液体流出管と、第一ポンプと、第二ポンプと、第一容器と、第二容器と、を含む。第一容器は液体流入管および第一ポンプを通じて血腫除去器の粉砕吸引器の高圧室に連結し、粉砕吸引器の低圧室は液体流出管および第二ポンプを通じて第二容器に連結する。
【０００６】
上記第一ポンプと粉砕吸引器の高圧室との間の液体流入管に第一ポンプにより発生する圧力波動を緩和する第一弾性管部分を設け、粉砕吸引器の低圧室と第二ポンプとの間の液体流出管に第二ポンプにより発生する圧力波動を緩和する第二弾性管部分を設ける。
【０００７】
上記第一弾性管部分にバランス洗浄装置の動作異常時に液体流入管を即閉鎖できる第一ピンチバルブを設け、上記第二弾性管部分にバランス洗浄装置の動作異常時に液体流出管を即閉鎖できる第二ピンチバルブを設ける。
【０００８】
上記第一ポンプと粉砕吸引器の高圧室との間の液体流入管に一端が液体流入管に連結し他端が圧力センサーに連結する第一サブ管を設け、粉砕吸引器の低圧室と第二ポンプとの間の液体流出管に一端が液体流出管に連結し他端が圧力センサーに連結する第二サブ管を設ける。
【０００９】
上記第一、第二サブ管は、いずれもパイプラインコネクタを通じて圧力センサーと連結している。
【００１０】
上記液体流入管と第一容器との間にパイプラインコネクタを設け、上記液体流出管と第二容器との間にもパイプラインコネクタを設ける。
【００１１】
上記第一ポンプおよび第二ポンプは蠕動型ポンプステーションであり、液体流入管に第一ポンプと適合する第三弾性管部分を設け、液体流出管に第二ポンプと適合する第四弾性管部分を設ける。
【００１２】
粉砕吸引器に近い上記液体流入管の一部分と上記液体流出管の一部分とが並列に寄り添っている。
【００１３】
上記粉砕吸引器のモーターの電源配線は束ねられて、上記液体流入管または液体流出管の一部分と寄り添っているチューブの中から引き出されている。
【発明の効果】
【００１４】
本発明では、液体流入管と液体流出管とのそれぞれに第一弾性管部分、第二弾性管部分を設け、各弾性管の管壁により第一ポンプ、第二ポンプが発生する圧力波動を緩和できるため、装置全体の運転安定性を向上できる。
【００１５】
本発明では、また、第一弾性管部分と第二弾性管部分とのそれぞれに第一ピンチバルブ、第二ピンチバルブを設けることにより、バランス洗浄装置の動作異常時に液体流入管および液体流出管を即閉鎖して、作業液の流動を阻止できるため、安全性を向上できる。
【００１６】
さらに、本発明に係る各ポンプは、蠕動型ポンプステーションであり、各管のそれぞれに第一ポンプ、第二ポンプに適合する第三弾性管部分、第四弾性管部分を設ける。このような技術的手段は、手術における無菌操作の要求をみたし、運転維持コストを低減できる。特に、血腫除去の効果を直接に観察できる。
【図面の簡単な説明】
【００１７】
【図１】本発明に係る血腫除去器のデュアル容器式バランス洗浄装置の概略構造を示す図である。
【発明を実施するための形態】
【００１８】
以下、図面および具体的な実施形態を参照して本発明について詳細に説明する。
【００１９】
図１に示すとおり、血腫除去器のデュアル容器バランス洗浄装置は、液体流入管１と、液体流出管２と、第一ポンプ３と、第二ポンプ４と、第一容器５と、第二容器６とを含む。第一容器は液体流入管および第一ポンプを通じて血腫除去器の粉砕吸引器の高圧室７に連結し、粉砕吸引器の低圧室８は液体流出管および第二ポンプを通じて第二容器に連結する。すなわち、第二容器は第二ポンプおよび液体流出管を通じて粉砕吸引器の低圧室に連結する。第一ポンプと粉砕吸引器の高圧室と間の液体流入管に第一弾性管部分１０１を設け、第一弾性管部分の管壁により第一ポンプが発生させる圧力波動を緩和する。粉砕吸引器の低圧室と第二ポンプとの間の液体流出管に第二弾性管部分２０１を設け、第二弾性管部分の管壁により第二ポンプが発生させる圧力波動を緩和する。上記第一弾性管部分に第一ピンチバルブ９を設け、第一ピンチバルブによりバランス洗浄装置の動作異常時に液体流入管を即閉鎖する。また、上記第二弾性管に第二ピンチバルブ１０を設け、第二ピンチバルブによりバランス洗浄装置の動作異常時に液体流出管を即閉鎖する。
【００２０】
本実施形態において、第一ポンプと粉砕吸引器の高圧室との間の液体流入管に、一端が液体流入管に連結し、他端が圧力センサーに連結する第一サブ管１１をさらに設けてもよい。第一サブ管は、パイプラインコネクタ１２を通じて圧力センサーに連結できる。また、粉砕吸引器の低圧室と第二ポンプとの間の液体流出管に、一端が液体流出管に連結し、他端が圧力センサーに連結する第二サブ管１３を設けてよい。第二サブ管は、パイプラインコネクタ１４を通じて圧力センサーに連結できる。本実施形態において、液体流入管と第一容器との間にパイプラインコネクタ１５を設け、液体流出管と第二容器との間にパイプラインコネクタ１６を設けてもよい。パイプラインコネクタを採用することにより、取り外しと取付けを比較的便利にできる。
【００２１】
図のＡ部分で示すように、本実施形態において、粉砕吸引器に近い液体流入管の一部分と液体流出管の一部分は並列に寄り添っていてもよい。また、粉砕吸引器のモーターの電源配線は束ねられて、液体流入管または液体流出管の一部分と寄り添っているチューブ１７の中から引き出されていてもよい。
【００２２】
本実施形態において、第一ポンプおよび第二ポンプは蠕動型ポンプステーションであり、液体流入管に第一ポンプと適合する第三弾性管部分１０２を設け、液体流出管に第二ポンプと適合する第四弾性管部分２０２を設ける。
【００２３】
以下では、本発明に係る血腫除去器のデュアル容器式バランス洗浄装置の動作原理について、説明する。
【００２４】
作業液の流動方向に応じて、上記液体流出管と液体流入管を定義する。
【００２５】
充填準備ステップにより、管の内部に作業液を充填する。第一ポンプ（ステーション）および第二ポンプ（ステーション）は同期して動作する。各ポンプによる圧送前後に圧力差を生じさせ、液体を流動させる。作業液は、まず、第一容器から液体流入管内に入り、第一ポンプにより加圧された後、粉砕吸引器の高圧室に入る。続いて、脳内での循環を経て、粉砕吸引器の低圧室に入り、液体流出管内に入り回流する。そして、第二ポンプにより加圧された後、第二容器に入る。
【００２６】
本実施形態において説明しなかった関連技術の内容は、既存の技術を採用するか参考することにより実現できる。
【００２７】
また、本発明の開示内容に基づいて、当該技術分野における当業者であれば、さまざまな同様または均等な形式で実施形態に変形することができる。しかしながら、これらの変形された実施形態も本発明の技術的範囲に含まれるものである。
【図１】
0005956070.tif 000002